(57)【要約】      （修正有）【課題】散乱光線による浪費を低減でき、照明効率を向上させる高効率発光ダイオード照明器具を提供する。【解決手段】凹入されてなる収納空間と、該収納空間に１方向に向かって並設され、少なくとも１つの傾斜側壁を有する少なくとも１つの突出状の固定部とを備えるハウジングと、反射効果を有する材料からなる。前記固定部の方向と直交する方向に向って並列する峰部及び谷部と、該固定部に対応し、発光孔アレーを構成する該峰部に形成される複数の開口と、隣り合う開口の間に形成される突起状の突出部材とを備える反射カバーとを有することを特徴とする。【選択図】図２
0003153026.tif 000002
【実用新案登録請求の範囲】
【請求項１】
凹入されてなる収納空間と、該収納空間に１方向に向かって並設され、少なくとも１つの傾斜側壁を有する少なくとも１つの突出状の固定部とを備えるハウジングと、
反射効果を有する材料からなるものであり、前記固定部の方向と直交する方向に向って並列する峰部及び谷部と、該固定部に対応し、発光孔アレーを構成する該峰部に形成される複数の開口と、隣り合う開口の間に形成される突起状の突出部材とを備える反射カバーとを有することを特徴とする高効率発光ダイオード照明器具。
【請求項２】
前記ハウジングの収納空間に形成される内部底面と、
前記内部底面に設けられ、末端にねじ穴が形成される複数の固定柱と、
前記反射カバーにおける谷部の両端に形成される、前記固定柱のねじ穴に対応する貫通孔と、を有することを特徴とする請求項１に記載の高効率発光ダイオード照明器具。
【請求項３】
前記ハウシングにおける収納空間の１つの固定部の基部に２つの位置決め柱が設けられると共に、
前記反射カバーの２つの谷部に、前記位置決め柱と対応するように係合するための２つの位置決め孔が形成されることを特徴とする請求項２に記載の高効率発光ダイオード照明器具。
【請求項４】
前記ハウジングは、矩形を呈するものであり、前記ハウジングの収納空間に複数の固定部が並設され、
前記収納空間の両端に位置する固定部の側面に、１つの傾斜側壁が設けられると共に、該固定部の間に位置する他の固定部の両側面にそれぞれ傾斜側壁が設けられ、隣り合う固定部の傾斜側壁は共に、ハ字状を呈することを特徴とする請求項１乃至３の何れか１項に記載の高効率発光ダイオード照明器具。
【考案の詳細な説明】
【技術分野】
【０００１】
本考案は、特に発光ダイオードを適用する時、発光ダイオードによる散乱光線を反射させ、照明効率を向上させることができる高効率発光ダイオード照明器具に関するものである。
【背景技術】
【０００２】
照明用具は日常生活において広く使用される不可欠なものであることから、省エネやエコ生活などの観点からも、大変に重要視されているトピックである。また、照明用具に関する省エネやエコ生活などにおいての最も重要な課題は、照明効率と放熱効果であり、そのうち照明効率は、電気の使用量と照明効果にも関係する。この点、発光ダイオードは、低電力且つ長寿命であるので、現在、最もエコ的な照明光源とされている。
【考案の概要】
【考案が解決しようとする課題】
【０００３】
しかしながら、現在の技術により製造された発光ダイオードは、光線の散乱を完全に防ぐことができないので、照明する方向から外れた散乱光線が照明効率を低下させてしまうといった問題があった。
【０００４】
しかしながら、高い照明効率を有する照明器具は、使用上または経済の点からみれば、照明コストを節約することができるものであり、また、環境保護の点から見れば地球の限られた資源をより有効的に運用することができるものであるので、高効率発光ダイオード照明器具は、散乱光線による浪費を低減できると共に、従来の照明器具の欠点を改善するエコ的照明器具であると言える。
【０００５】
そこで、案出されたのが本考案であって、従来の発光ダイオード照明器具の欠点を改善する高効率発光ダイオード照明器具を提供することを目的としている。
【課題を解決するための手段】
【０００６】
本願の請求項１の考案は、凹入されてなる収納空間と、該収納空間に１方向に向かって並設され、少なくとも１つの傾斜側壁を有する少なくとも１つの突出状の固定部とを備えるハウジングと、
反射効果を有する材料からなるものであり、前記固定部の方向と直交する方向に向って並列する峰部及び谷部と、該固定部に対応し、発光孔アレーを構成する該峰部に形成される複数の開口と、前記複数の開口の間に形成される突起状の突出部材とを備える反射カバーとを有することを特徴とする高効率発光ダイオード照明器具、を提供する。
【０００７】
本願の請求項２の考案は、前記ハウジングの収納空間に形成される内部底面と、
前記内部底面に設けられ、末端にねじ穴が形成される複数の固定柱と、
前記反射カバーにおける谷部の両端に形成される、前記固定柱のねじ穴に対応する貫通孔と、を有することを特徴とする請求項１に記載の高効率発光ダイオード照明器具、を提供する。
【０００８】
本願の請求項３の考案は、前記ハウシングにおける収納空間の１つの固定部の基部に２つの位置決め柱が設けられると共に、
前記反射カバーの２つの谷部に、前記位置決め柱と対応するように係合するための２つの位置決め孔が形成されることを特徴とする請求項２に記載の高効率発光ダイオード照明器具、を提供する。
【０００９】
本願の請求項４の考案は、前記ハウジングは、矩形を呈するものであり、前記ハウジングの収納空間に複数の固定部が並設され、
前記収納空間の両端に位置する固定部の側面に、１つの傾斜側壁が設けられると共に、該固定部の間に位置する他の固定部の両側面にそれぞれ傾斜側壁が設けられ、隣り合う固定部の傾斜側壁は共に、ハ字状を呈することを特徴とする請求項１乃至３の何れか１項に記載の高効率発光ダイオード照明器具、を提供する。
【考案の効果】
【００１０】
本考案は上記の課題を解決するものであり、発光ダイオードを適用する時、反射カバーの突出部材で散乱光線を照明方向へ反射させることにより、照明効果を増大することができるので、照明効率をより向上させることができる。
【図面の簡単な説明】
【００１１】
【図１】本考案に係る高効率発光ダイオード照明器具の分解斜視図である。
【図２】本考案に係る高効率発光ダイオード照明器具の側面断面図である。
【図３】本考案に係る高効率発光ダイオード照明器具の局部拡大側面断面図である。
【図４】本考案に係る高効率発光ダイオード照明器具における反射カバーを取り外した状態を示す分解斜視図である。
【図５】本考案に係る高効率発光ダイオード照明器具の斜視図である。
【考案を実施するための形態】
【００１２】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１３】
図１は本考案に係る高効率発光ダイオード照明器具の分解斜視図であり、図２は本考案に係る高効率発光ダイオード照明器具の側面断面図であり、図３は本考案に係る高効率発光ダイオード照明器具の局部拡大側面断面図であり、図４は本考案に係る高効率発光ダイオード照明器具における反射カバーを取り外した状態を示す分解斜視図であり、図５は本考案に係る高効率発光ダイオード照明器具の斜視図である。
【００１４】
本考案は、発光ダイオードなど光源を適用し、照明効果を提供することができるものである。即ち、本考案における願書、実用新案登録請求の範囲、明細書及び要約書においては、「照明器具」という用語は、光源を有していないものをも含めると定義されている。
図１乃至図３に示すように、本考案に係る高効率発光ダイオード照明器具の好ましい実施例は、ハウジング（１０）と、反射カバー（３０）とを有するものである。本考案に係る発光ダイオード照明器具は、発光ダイオードモジュール（２０）を適用し、照明効果を提供することができるものである。
【００１５】
この実施例において、前記ハウジング（１０）は、矩形を呈すると共に、凹入されてなる収納空間（１１）と、該収納空間（１１）に形成される内部底面（１１０）と、該収納空間（１１）の内部底面（１１０）に形成される少なくとも１つの突出状の固定部（１２）（１２’）とを有する構成である。
【００１６】
更に、前記突出状の固定部（１２）（１２’）は、収納空間（１１）において１方向に向って複数形成され、また、該複数の突出状の固定部（１２）（１２’）とハウジング（１０）とは一体の構成であることが好ましい。
【００１７】
本実施例における前記固定部（１２）（１２’）は、少なくとも１つの傾斜側壁（１２０）（１２０’）を有し、そのうち、前記収納空間（１１）の両端に位置する固定部（１２’）は、その側面に、１つの傾斜側壁（１２０’）が設けられると共に、該固定部（１２’）の間に位置する他の固定部（１２）の両側面にそれぞれ傾斜側壁（１２０）が設けられ、隣り合う固定部（１２）（１２’）の傾斜側壁（１２０）（１２０’）は、ハ字状を呈する構成である。
【００１８】
さらに、前記各固定部（１２）（１２’）の 傾斜側壁（１２０）（１２０’）の両側には、夫々１つの固定孔（１２１）（１２１’）が形成される。例えば、基板（２１）と基板（２１）に設けられる発光ダイオード（２２）とを有し、前記発光ダイオードモジュール（２０）の基板（２１）に、該固定部（１２）（１２’）の固定孔（１２１）（１２１’）に対応する２つの固定孔（２１０）が形成される発光ダイオードモジュール（２０）を適用することができる。
【００１９】
また、前記ハウジング（１０）の収納空間（１１）には通常、末端にねじ穴を有する複数の固定柱（１３）が設けられるが、本実施例においては互いに対応するように４本の固定柱（１３）が配置される。
【００２０】
図４乃至図５に示すように、前記反射カバー（３０）は、反射効果を有する材料からなるものであり、前記１方向と直交する方向に向って交互に並列される峰部（３１）及び谷部（３２）と、前記固定部（１２）（１２’）に対応し、発光孔アレーを構成する前記峰部（３１）に形成される複数の開口（３１０）とを備えるものである。また、前記反射カバー（３０）は、反射効果を有する金属部材を圧延加工してなるものであることが好ましい。
【００２１】
さらに、隣り合う開口（３１０）の間に突起状の突出部材（３１２）が形成されることが好ましい。前記反射カバー（３０）は、反射効果を有する金属部材を圧延加工してなるものである実施例においては、前記突出部材（３１２）が湾曲されて突起状を呈するものであることが好ましい。
【００２２】
図１に示すように、発光ダイオードモジュール（２０）は、長細いプレート状の基板（２１）と、該基板（２１）に設けられる複数の発光ダイオード（２２）とを有し、そのうち複数の発光ダイオード（２２）は、該基板（２１）の外表面に均一に分布するように設けられ、該基板（２１）の内表面は、ハウジング（１０）の内部の固定部（１２）（１２’）の傾斜側壁（１２０）（１２０’）に対応するものである。また、前記基板（２１）には、前記固定部（１２）（１２’）の固定孔（１２１）（１２１’）に対応する２つの固定孔（２１０）が形成される。
【００２３】
図３に示すように、前記発光ダイオードモジュール（２０）を前記ハウジング（１０）に設置する時は、先ず前記発光ダイオードモジュール（２０）における基板（２１）の内表面及び／又はハウジング（１０）における各固定部（１２）（１２’）の傾斜側壁（１２０）（１２０’）に均一に熱伝導接着剤（４０）を塗布し、該基板（２１）の内表面を固定部（１２）（１２’）の傾斜側壁（１２０）（１２０’）に貼り付けて熱接触させ、そして、該発光ダイオードモジュール（２０）をより確実に固定部（１２）（１２’）の傾斜側壁（１２０）（１２０’）に結合させるために、さらに、対応し合う該基板（２１）の固定孔（２１０）と傾斜側壁（１２０）（１２０’）の固定孔（１２１）（１２１’）をねじ（図示せず）により固定する。
【００２４】
上述したように、前記ハウジング（１０）及び固定部（１２）（１２’）は一体構造であり、前記発光ダイオードモジュール（２０）は、固定部（１２）（１２’）の傾斜側壁（１２０）（１２０’）に直接に熱接触するものであるので、発光ダイオード（２２）が点灯すると、発光ダイオード（２２）から発生した熱量は、該固定部（１２）（１２’）を通じてハウジング（１０）に伝導し、該ハウジング（１０）の上面に設けられる放熱装置から、効率的に放熱される。
【００２５】
更に、前記発光ダイオードモジュール（２０）の発光ダイオード（２２）は、前記反射カバー（３０）の開口（３１０）により構成された発光孔アレーから露出し、また、該反射カバー（３０）は反射効果を有するものであるので、該反射カバー（３０）に反射した発光ダイオード（２２）の光線により、照明効果を増大させることができる。前記隣り合う開口（３１０）の間に前記突起状の突出部材（３１２）が設けられるので、発光ダイオード（２２）による散乱光線がこの突出部材（３１２）の表面により反射されることから、散乱光線を照明方向へ反射させることにより、照明効果を増大することができる。即ち、大電流発光ダイオードを使用するなど電気の消費を増加しなくても、効率よく発光ダイオード（２２）による照明効果を増大することができるので、同様な発光ダイオード（２２）を本考案に係る発光ダイオード照明器具に適用すれば、従来の照明器具に適用した場合より、より効率よく照明効果を提供することができる。
【００２６】
その上、前記反射カバー（３０）の両側の谷部（３２）の両端に、前記ハウジング（１０）における固定柱（１３）のねじ孔（１３０）に対応する貫通孔（３２１）が形成されるので、ねじにより該反射カバー（３０）とハウジング（１０）とを結合させることができると共に、該反射カバー（３０）の２つの谷部（３２）には夫々、１つの位置決め孔（３２２）が形成され、この２つの位置決め孔（３２２）により前記位置決め柱（１２２）を係合させることができるので、該位置決め孔（３２２）と位置決め柱（１２２）との係合により、該反射カバー（３０）とハウジング（１０）とを強固に結合することができる。
【産業上の利用可能性】
【００２７】
本考案は上記の構成を有するので、反射カバーの開口により構成された発光孔アレーから露出する発光ダイオードによる照明方向を外れた散乱光線を、前記突出部材により照明方向へ反射させることができることから、照明効率の向上を達成できるので、本考案は、従来の発光ダイオード照明器具の欠点を改善することができる。
【符号の説明】
【００２８】
１０            ハウジング
１１            収納空間
１１０          内部底面
１２            固定部
１２’          固定部
１２０          傾斜側壁
１２０’        傾斜側壁
１２１          固定孔
１２１’        固定孔
１２２          位置決め柱
１３            固定柱
１３０          ねじ孔
２０            発光ダイオードモジュール
２１            基板
２１０          固定孔
２２            発光ダイオード
３０            反射カバー
３１            峰部
３１０          開口
３１２          突出部材
３２            谷部
３２１          貫通孔
３２２          位置決め孔
４０            熱伝導接着剤
【図１】
0003153026.tif 000003
【図２】
0003153026.tif 000004
【図３】
0003153026.tif 000005
【図４】
0003153026.tif 000006
【図５】
0003153026.tif 000007